【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
基地局装置と移動局装置とが、複数のコンポーネントキャリアを使用して通信を行なう無線通信システムであって、
前記基地局装置は、
特定の下りリンクコンポーネントキャリアに対応する物理ランダムアクセスチャネルリソースのセットを示す第１の制御情報を前記移動局装置に送信し、
ランダムアクセス処理の開始を指示する第２の制御情報を前記移動局装置に送信し、
前記移動局装置は、
前記基地局装置から受信した前記第１の制御情報に応じて前記物理ランダムアクセスチャネルリソースのセットを設定し、
前記基地局装置から前記第２の制御情報を受信した際に、前記第２の制御情報に応じて前記物理ランダムアクセスチャネルリソースのセットの中から１つの物理ランダムアクセスチャネルリソースを選択し、前記選択された物理ランダムアクセスチャネルリソースを用いてプリアンブルを送信することを特徴とする無線通信システム。
【請求項２】
前記基地局装置は、前記特定の下りリンクコンポーネントキャリアを示す第３の制御情報を前記移動局装置に送信することを特徴とする請求項１記載の無線通信システム。
【請求項３】
前記基地局装置は、無線リソース制御信号を用いて前記第１の制御情報を前記移動局装置に送信することを特徴とする請求項１記載の無線通信システム。
【請求項４】
前記基地局装置および前記移動局装置は、前記移動局装置が前記プリアンブルの送信に用いた前記物理ランダムアクセスチャネルリソースを含む上りリンクコンポーネントキャリアと、前記上りリンクコンポーネントキャリアに対応する下りリンクコンポーネントキャリアとを用いて、ランダムアクセスのメッセージの通信を行なうことを特徴とする請求項１記載の無線通信システム。
【請求項５】
前記第２の制御情報は、前記物理ランダムアクセスチャネルリソースのセットの中から、前記移動局装置が選択する物理ランダムアクセスチャネルリソースを示す情報とプリアンブルを示す情報が含まれる
ことを特徴とする請求項１記載の無線通信システム。
【請求項６】
前記移動局装置は、前記プリアンブルを示す情報が全て０にセットされている際に、選択するプリアンブルの範囲を決定し、前記決定したプリアンブルの範囲の中から１つのプリアンブルをランダムに選択することを特徴とする請求項５記載の無線通信システム。
【請求項７】
前記基地局装置は、前記第２の制御情報を、複数の下りリンクコンポーネントキャリアの中から任意の１つの下りリンクコンポーネントキャリアで送信することを特徴とする請求項１記載の無線通信システム。
【請求項８】
移動局装置と複数のコンポーネントキャリアを使用して通信を行なう基地局装置であって、
特定の下りリンクコンポーネントキャリアに対応する物理ランダムアクセスチャネルリソースのセットを示す第１の制御情報を前記移動局装置に送信し、
ランダムアクセス処理の開始を指示する第２の制御情報を前記移動局装置に送信し、
前記移動局装置が、前記第２の制御情報に応じて前記物理ランダムアクセスチャネルリソースのセットの中から選択した1つの物理ランダムアクセスチャネルリソースを用いて送信したプリアンブルを受信することを特徴とする基地局装置。
【請求項９】
前記特定の下りリンクコンポーネントキャリアを示す第３の情報を前記移動局装置に送信することを特徴とする請求項８記載の基地局装置。
【請求項１０】
無線リソース制御信号を用いて前記第１の制御情報を前記移動局装置に送信することを特徴とする請求項８記載の基地局装置。
【請求項１１】
前記移動局装置が前記プリアンブルの送信に用いた前記物理ランダムアクセスチャネルリソースを含む上りリンクコンポーネントキャリアと、前記上りリンクコンポーネントキャリアに対応する下りリンクコンポーネントキャリアとを用いて、前記移動局装置とランダムアクセスのメッセージの通信を行なうことを特徴とする請求項８記載の基地局装置。
【請求項１２】
前記第２の制御情報は、前記物理ランダムアクセスチャネルリソースのセットの中から、前記移動局装置が選択する物理ランダムアクセスチャネルリソースを示す情報とプリアンブルを示す情報が含まれることを特徴とする請求項８記載の基地局装置。
【請求項１３】
前記移動局装置にプリアンブルを指示しない際に、前記プリアンブルを示す情報を全て０にセットすることを特徴とする請求項１２記載の基地局装置。
【請求項１４】
前記第２の制御情報を、複数の下りリンクコンポーネントキャリアの中から任意の１つの下りリンクコンポーネントキャリアで送信することを特徴とする請求項８記載の基地局装置。
【請求項１５】
基地局装置と複数のコンポーネントキャリアを使用して通信を行なう移動局装置であって、
特定の下りリンクコンポーネントキャリアに対応する物理ランダムアクセスチャネルリソースのセットを示す、前記基地局装置から受信した第１の制御情報に応じて前記物理ランダムアクセスチャネルリソースのセットを設定し、
前記基地局装置からランダムアクセス処理の開始を指示する第２の制御情報を受信した際に、前記第２の制御情報に応じて前記物理ランダムアクセスチャネルリソースのセットの中から１つの物理ランダムアクセスチャネルリソースを選択し、前記選択された物理ランダムアクセスチャネルリソースを用いてプリアンブルを送信することを特徴とする移動局装置。
【請求項１６】
前記特定の下りリンクコンポーネントキャリアを示す第３の制御情報を前記基地局装置から受信することを特徴とする請求項１５記載の移動局装置。
【請求項１７】
前記第１の制御情報を含む無線リソース制御信号を前記基地局装置から受信することを特徴とする請求項１５記載の移動局装置。
【請求項１８】
前記プリアンブルの送信に用いた前記物理ランダムアクセスチャネルリソースを含む上りリンクコンポーネントキャリアと、前記上りリンクコンポーネントキャリアに対応する下りリンクコンポーネントキャリアを用いて、前記基地局装置とランダムアクセスのメッセージの通信を行なうことを特徴とする請求項１５記載の移動局装置。
【請求項１９】
前記第２の制御情報は、前記物理ランダムアクセスチャネルリソースのセットの中から、前記移動局装置が選択する物理ランダムアクセスチャネルリソースを示す情報とプリアンブルを示す情報が含まれることを特徴とする請求項１５記載の移動局装置。
【請求項２０】
前記プリアンブルを示す情報が全て０にセットされている際に、選択するプリアンブルの範囲を決定し、前記決定したプリアンブルの範囲の中から１つのプリアンブルをランダムに選択することを特徴とする請求項１９記載の移動局装置。
【請求項２１】
前記第２の制御情報を、複数の下りリンクコンポーネントキャリアのうち１つの下りリンクコンポーネントキャリアで受信することを特徴とする請求項１５記載の移動局装置。
【請求項２２】
移動局装置と複数のコンポーネントキャリアを使用して通信を行なう基地局装置に用いられる無線通信方法であって、
特定の下りリンクコンポーネントキャリアに対応する物理ランダムアクセスチャネルリソースのセットを示す第１の制御情報を前記移動局装置に送信し、
ランダムアクセス処理の開始を指示する第２の制御情報を前記移動局装置に送信し、
前記移動局装置が、前記第２の制御情報に応じて前記物理ランダムアクセスチャネルリソースのセットの中から選択した１つの物理ランダムアクセスチャネルリソースを用いて送信したプリアンブルを受信することを特徴とする無線通信方法。
【請求項２３】
基地局装置と複数のコンポーネントキャリアを使用して通信を行なう移動局装置に用いられる無線通信方法であって、
特定の下りリンクコンポーネントキャリアに対応する物理ランダムアクセスチャネルリソースのセットを示す、前記基地局装置から受信した第１の制御情報に応じて前記物理ランダムアクセスチャネルリソースのセットを設定し、
前記基地局装置からランダムアクセス処理の開始を指示する第２の制御情報を受信した際に、前記第２の制御情報に応じて前記物理ランダムアクセスチャネルリソースのセットの中から１つの物理ランダムアクセスチャネルリソースを選択し、前記選択された物理ランダムアクセスチャネルリソースを用いてプリアンブルを送信することを特徴とする無線通信方法。